(57)【要約】【課題】  連続した信号ピッチ領域を個別の信号として取出せ、信号ピッチ領域の磁界分布がいびつになることを防ぎ、無信号ピッチ領域からのノイズ発生を低減し、高い信号精度が得られる磁気式アブソリュートエンコーダーを提供する。【解決手段】  隣り合う信号ピッチ領域の着磁方向、ｎ分割領域の着磁方向が互いに逆方向とし、信号ピッチ領域に隣接するｎ分割領域をピン止め着磁とし磁界分布がいびつになることを防ぐ。信号ピッチ領域の全てを着磁することで、発生磁界強度を大きくでき、磁気媒体と磁気センサーの間隔を大きくすることができる。また、無信号ピッチ領域を着磁したｎ分割領域とすることで、磁気媒体の不必要な磁化を防ぐ。【選択図】      図１
2007256085.tif 000002
【特許請求の範囲】
【請求項１】
ランダムに着磁されたアブソリュートパターンを有する磁気媒体と、対向して相対的に
移動する磁気抵抗効果型磁気センサーを有する磁気式アブソリュートエンコーダーであっ
て、移動方向に配されたアブソリュートパターンは少なくとも一つ以上連続する信号ピッ
チ領域と、同一のピッチ領域幅で少なくとも一つ以上連続する無信号ピッチ領域からなり
、隣り合う信号ピッチ領域の着磁方向は互いに逆方向であり、無信号ピッチ領域は移動方
向でｎ分割されてｎ分割領域を形成し、隣り合うｎ分割領域の着磁方向は互いに逆方向で
あり、また隣り合う信号ピッチ領域の着磁方向とｎ分割領域の着磁方向が、逆方向である
ことを特徴とする磁気式アブソリュートエンコーダー。
【請求項２】
無信号ピッチ領域は移動方向でｎ分割されており、分割数ｎが２以上４０以下であるこ
とを特徴とする請求項１に記載の磁気式アブソリュートエンコーダー。
【発明の詳細な説明】
【技術分野】
【０００１】
本発明は、磁気抵抗効果型磁気センサーを用いた磁気式アブソリュートエンコーダーに
関するものである。
【背景技術】
【０００２】
本発明は産業機械などで使用するサーボモーター等の回転体の回転絶対位置および直線
移動体の絶対位置を検出する磁気式アブソリュートエンコーダーに関するものである。
【０００３】
等ピッチで形成された２Ｐ個のピッチ領域（Ｐ＝正の整数）の各ピッチ領域に、ｍ系列
パターン等に従って着磁された磁気媒体に対向して、磁気抵抗効果型磁気センサー（以降
、磁気センサーと言う）が配されている。磁気媒体と磁気センサーは相対的に移動する。
ｍ系列パターン等で着磁された磁気媒体には、着磁された信号ピッチ領域と無着磁の無信
号ピッチ領域が混在配列されることとなる。磁気センサーで、信号ピッチ領域の漏洩磁界
を検出し符号化処理を行うことで、信号ピッチ領域と無信号ピッチ領域の配列を符号化信
号「１」と「０」に対応させることができる。この信号ピッチ領域と無信号ピッチ領域に
相当するピッチで磁気センサー素子を複数個配置すると、各々の磁気センサー素子が同時
に信号ピッチ領域の漏洩磁界を検出し符号化処理を行うことで、「１」と「０」の信号を
検出する。その信号配列を判別することで磁気媒体上の絶対位置の検出が可能となる。
【０００４】
しかし、現在は絶対位置検出用のエンコーダーとしては、特許文献１に示すような光学
式アブソリュートエンコーダーが主に使用されている。主に用いられている理由は、光学
式エンコーダーはｍ系列等のパターンを製作し易いことによる。遮光性の媒体に孔を開け
た部位が透光部となるので、ｍ系列等のパターンで孔を開けたスケールが製作し易く、遮
光部と透光部で受光器の出力差が大きいつまり分解能が高いので、容易に高い信号精度が
得られるためである。しかし、受光器の配列等に制約があるため、主に用いられる光学式
エンコーダーのピッチは数１００μｍ以上である。
【０００５】
【特許文献１】特開平４−４０３２１号  公報
【０００６】
光学式アブソリュートエンコーダーは、塵埃やオイルミストなどの付着汚れに弱く、ま
た使用環境温度の変化に対して検出精度の安定性が低いとの指摘もある。汚れを防止する
ため、光学式アブソリュートエンコーダーのシール度を高めたり気密性の高いケーシング
等が行われている。しかし、気密性を上げると環境温度変化に追従し難くなることや、小
型、低価格の実現が難しくなる。塵埃やオイルミストなどの付着汚れに比較的強く、使用
環境温度の変化に対しても安定性の高い磁気式アブソリュートエンコーダーの需要が高ま
って来ている。磁気式アブソリュートエンコーダーのピッチは容易に１００μｍ以下が得
られるが、検出精度が低い点が問題であった。
【０００７】
磁気式アブソリュートエンコーダーの検出精度を上げるため、磁気媒体の着磁方法が検
討されている。特許文献２に、ピッチ領域に磁気媒体表面が単極となるように着磁するこ
とが開示されている。Ｎ極もしくはＳ極が連続するピッチ数が場所により異なるため、漏
洩磁界強度が各ピッチ領域により異なってしまう。また、信号ピッチ領域の全域に着磁さ
れているために、隣接する無信号ピッチ領域と干渉して磁界分布が歪み、検出精度の大幅
な改善が見込めない。信号ピッチ領域と無信号ピッチ領域の干渉を低減する方策が、特許
文献３に開示されている。信号ピッチ領域の中央部の一部領域にのみ信号用着磁領域を設
け、信号ピッチ領域の他の部分は無着磁の信号用無着磁領域とし、隣接する無信号ピッチ
領域との磁気的干渉を低減させている。しかし、信号ピッチ領域の一部に設けられた信号
用着磁領域からの漏洩磁界が隣合う無信号ピッチ領域と干渉しないようにするには、信号
用着磁領域の磁界強度を小さくする必要がある。磁界強度を下げるには、信号ピッチ領域
の信号用着磁領域を小さくするか、着磁強度を下げる必要がある。漏洩磁界強度を下げる
と、磁気センサーの出力が低下してしまい検出精度の大幅な改善が見込めない。磁気セン
サーの出力を上げるため、磁気センサーと磁気媒体との間隙を近接させることが考えられ
るが、間隙を小さくすると微小な塵埃を巻き込んだりして、磁気媒体や磁気センサーを損
傷する危険性が大きくなる。
【０００８】
【特許文献２】特開２０００−３５２５２３号  公報  図２、図３
【特許文献３】特開平０２−２０１１１８号  公報  図６
【０００９】
図５に特許文献３を参考にして信号ピッチ領域２を、信号用着磁領域３と信号用無着磁
領域４で形成し、信号用着磁領域幅を信号ピッチ領域幅より小さくしたときの、着磁パタ
ーンを示す。全ての信号ピッチ領域の信号用着磁領域に同一磁界方向に着磁する方法であ
る。この着磁方法では各信号ピッチ領域２において磁気センサーからの信号出力が得られ
るが、図５ｃ）に示すように信号ピッチ領域２が連続する部分の磁気センサー出力は小さ
くなり、無信号ピッチ領域５と隣接する信号ピッチ領域２の磁気センサー出力は大きくな
る。また１ケ以上連続する無信号ピッチ領域５は、両側の信号ピッチ領域２の影響により
不要な磁界が発生する。不要な磁界を磁気センサーが検知することで、図５ｄ）の読出し
符号化パターンと図５ａ）の書込み符号パターンが異なると言う問題がある。これらは、
連続した信号ピッチ領域２が見掛け上一つの磁石（着磁パターン）として働くためと考え
られる。
【００１０】
図５ｃ）で示した様な、連続した無信号領域５に発生する不要な磁界をなくす方策とし
て、図６ｂ）に示すような信号ピッチ領域２の不連続部分において磁界方向を反転させる
方法がある。無信号ピッチ領域５に発生する不要な磁界は減少するが、信号ピッチ領域２
が多数連続すると見掛け上一つの磁石として働くため、隣接する無信号ピッチ領域５に反
転磁界が発生する。この反転磁界を磁気センサーが検知し、図６ｄ）の読出し符号化パタ
ーンと図６ａ）の書込み符号パターンが異なると言う問題が生じることがある。
【００１１】
図５と図６を用い説明した問題を解決する方策として、図７に示すように隣接する全て
の信号ピッチ領域２の信号用着磁領域３の磁界方向が逆になるように着磁する方法がある
。各々の信号ピッチ領域２の信号用着磁領域３の磁界は、それぞれ信号用着磁領域内で閉
じた磁場を形成する。そのため、図５と図６の様に連続着磁ピッチ領域が一つの大きな磁
石とはならないので、無着磁ピッチ領域に現れる不要な磁界や反転磁界を大幅に減少させ
ることができ、図７ｄ）の読出し符号化パターンと図７ａ）の書込み符号パターンが同じ
となり、高い信号精度が得られた。
【００１２】
しかし、隣接する全ての信号ピッチ領域２の信号用着磁領域３の磁界方向が逆になるよ
うに着磁する方法でも、書込みの符号パターンによっては、高い信号精度が得られないこ
とがあった。特に信号ピッチ領域２が多く連続した時に信号精度の低下が見られた。一例
として図８に、信号ピッチ領域２が６ヶ連続した状態を示す。図８ａ）に書込み符号パタ
ーン、図８ｂ）に着磁パターン、図８ｃ）に磁気センサー出力、図８ｄ）に符号化信号波
形、図８ｅ）に読出し符号パターンを示す。図８ｃ）に示すように、無信号ピッチ領域５
と隣接する信号ピッチ領域２の信号用着磁領域３からの漏洩磁界がいびつになってしまっ
ている。漏洩磁界がいびつになることで、図８ｄ）に示すように符号化処理後信号波形の
パルス幅が広くなってしまい、次のクロック領域に掛かり、誤検出する危険性がある。磁
気センサー出力波形の歪程度やクロックパルス幅等によって、図８ｅ）に示すように、本
来の０１１１１１１０の符号パターンとは異なり、１１１１１１１１の間違った符号パタ
ーンとなることが、非常に低い発生頻度であるが発生していた。図８では、６連続の信号
ピッチ領域の例を示したが、信号ピッチ領域の長さと信号用着磁領域の長さの比率関係に
よっては、１ケ以上連続する信号ピッチ領域において同様の問題が発生することが考えら
れる。
【００１３】
図８で説明したような不具合を解消する方法として、信号用無着磁領域４を着磁した領
域とするものである。信号用無着磁領域４に施した着磁を、ピン止め着磁と称する。図９
に示すようなピン止め着磁領域６を設けることで、連続した信号ピッチ領域２の信号用着
磁領域３を個別に信号として取り出すことができ、無信号ピッチ領域と隣接する信号ピッ
チ領域の磁界分布がいびつになることを防ぐことができることを見出し、発明者らは既に
特許出願を行っている。図８ｃ）と図９ｃ）の磁気センサー出力を比較すると良く判るが
、ピン止め着磁を行うことで無信号ピッチ領域と隣接する信号ピッチ領域の磁界の広がり
が抑えられている。
【発明の開示】
【発明が解決しようとする課題】
【００１４】
図９に示すような、信号ピッチ領域の信号用着磁領域の両端にピン止め着磁領域６を設
けることで、得られる信号精度を大幅に改善できたが、ピン止め着磁領域の分だけ信号用
着磁領域が狭くなるため磁気センサー出力が小さくなってしまう。そのため、磁気媒体と
磁気センサーの間隔（ギャップ）を大きくすることが難しかった。また、無信号ピッチ領
域は着磁されていないため例えばスクリュードライバーが軽く接触しただけで磁化したり
、長期間使用していると磁化してくるため、ノイズの発生を防ぐことが難しかった。
【００１５】
本願発明は上記問題点を解決するためになされたものであって、連続した信号ピッチ領
域を個別に信号として取り出すことができ、無信号ピッチ領域と隣接する信号ピッチ領域
の磁界分布がいびつになることを防ぎ、無信号ピッチ領域からのノイズ発生を低減し、高
い信号精度が得られる磁気式アブソリュートエンコーダーを提供することを目的とする。
【課題を解決するための手段】
【００１６】
本願発明の磁気式アブソリュートエンコーダーは、ランダムに着磁されたアブソリュー
トパターンを有する磁気媒体と、対向して相対的に移動する磁気抵抗効果型磁気センサー
を有する磁気式アブソリュートエンコーダーであって、移動方向に配されたアブソリュー
トパターンは少なくとも一つ以上連続する信号ピッチ領域と、同一のピッチ領域幅で少な
くとも一つ以上連続する無信号ピッチ領域からなり、隣り合う信号ピッチ領域の着磁方向
は互いに逆方向であり、無信号ピッチ領域は移動方向でｎ分割されてｎ分割領域を形成し
、隣り合うｎ分割領域の着磁方向は互いに逆方向であり、また隣り合う信号ピッチ領域の
着磁方向とｎ分割領域の着磁方向が、逆方向であることが好ましい。
【００１７】
無信号ピッチ領域は移動方向でｎ分割されて、隣り合うｎ分割領域は互いに逆方向に着
磁されている。また、隣り合うｎ分割領域と信号ピッチ領域も、逆方向に着磁されている
。信号ピッチ領域に接したｎ分割領域は、ピン止め着磁の効果を発揮する。信号ピッチ領
域と無信号ピッチ領域が隣接した場合、信号ピッチ領域の磁界分布が無信号ピッチ領域の
影響を受け、磁界分布の裾部分が無信号ピッチ領域側に引っ張られた様ないびつな分布と
なる。このいびつな磁界分布は磁気抵抗効果型磁気センサーで電気信号に変えられる。磁
気センサーのアナログ出力をディジタル符号化すると、いびつな部分の分だけパルス幅が
広くなり次のクロック領域に掛かり、誤った検出結果を与えることになる。ｎ分割領域を
設けることで、信号用着磁領域の磁界分布がいびつになることを防ぐことができる。
【００１８】
ｎ分割領域はピン止め着磁効果を呈し、信号ピッチ領域の磁界分布がいびつになるのを
防ぐことができるが、ｎ分割領域で信号が発生してはいけないものである。ｎ分割領域の
磁界を磁気センサーが検知すると、検知された信号は信号ピッチ領域から得られる信号に
対してノイズとなってしまう。そのため、ｎ分割領域の磁界強度は、磁気センサーでは検
知されない程度に小さく、信号ピッチ領域の磁界分布がいびつにならない程度に大きい必
要がある。
【００１９】
ｎ分割されたｎ分割領域の幅（移動方向の長さ）は同じでなくても良いが、大きく違う
ことは好ましくない。大きな幅と小さな幅のｎ分割領域が混在した場合、次の様な不具合
が発生する危険性がある。信号ピッチ領域と隣り合うｎ分割領域が小さな幅の場合、ｎ分
割領域がピン止め着磁効果を果さない。逆に大きな幅の場合、大きなｎ分割領域が信号ピ
ッチ領域と同じ様に働き、磁気センサーから信号として読み出される。いずれも、読出し
符号が誤ったものとなる危険性がある。そのため、でき得る限りｎ分割領域の幅は同じと
することが好ましいものである。また、ｎ分割領域の幅を同じとすることで、着磁作業工
程が安定し品質の向上化が図れる。
【００２０】
ｎ分割領域の着磁方向は、隣接する信号ピッチ領域の着磁方向と逆向きである必要があ
る。同方向に着磁を行うと、信号ピッチ領域の磁界分布がいびつになることを防ぐことが
出来ないだけでなく、信号ピッチ領域の磁界分布の裾を更に広げることとなる。
【００２１】
従来の磁気式アブソリュートエンコーダーの無信号ピッチ領域は無着磁であった。その
ため、磁気媒体の取り扱い時に市販のスクリュードライバーの様な金属が軽く接触すると
、磁化してしまうことがあった。また、長期間使用していると予期せぬ外部磁界によって
磁化してしまい、ノイズとなり安定した性能が得られなくなることがあった。これらの磁
化強度（着磁強度）は弱いものであるが、磁化範囲が大きいためノイズとなる程度の磁界
が発生することがある。無信号ピッチ領域を移動方向にｎ分割し小さなｎ分割領域を作り
、着磁を行うことで無着磁の領域を無くすことができる。ｎ分割領域は信号ピッチ領域に
比べ移動方向の長さが短いため、発生する磁界が小さい。そのため、所定の磁気媒体と磁
気センサーの間隔（ギャップ）を設けたとき、ｎ分割領域からの磁界を磁気センサーは殆
んど検知することはない。ｎ分割領域は着磁されているので、スクリュードライバーの様
な金属が軽く接触することでの磁化は防ぐことができる。また、長期間使用しても既に磁
化しているため、外部磁界によって磁化することを防ぐことができる。
【００２２】
また、従来の磁気式アブソリュートエンコーダーの信号ピッチ領域は、信号用着磁領域
とピン止め着磁領域で構成されていたため、信号ピッチ領域幅より信号着磁領域幅が狭く
なっていた。そのため、信号ピッチ領域の全幅に着磁した場合に比べ磁界強度は弱くなっ
ている。本願発明では、信号ピッチ領域の全幅に着磁を行なっているので、従来品に比べ
得られる磁界強度は大きくなる。磁界強度が大きくなると、磁気媒体から磁気センサーを
離すことができるため、磁気媒体と磁気センサー間に異物が入り磁気媒体や磁気センサー
を損傷する危険性も減るため、エンコーダーの信頼性の向上につながる。また、磁気媒体
と磁気センサーの間隔を大きくすることで、磁気センサーがｎ分割領域の磁界を検知し難
くなるのでノイズの低下も図られる。
【００２３】
本願発明の磁気式アブソリュートエンコーダーは、無信号ピッチ領域は移動方向でｎ分
割されており、分割数ｎが２以上４０以下であることが好ましい。
【００２４】
分割数ｎは、奇数でも偶数でも構わないものである。分割数は無信号ピッチ領域の幅（
移動方向長さ）を基に決めることができる。無信号ピッチ領域の幅が大きいときは分割数
を多く、小さいときは分割数を少なくすることが好ましい。目安としてｎ分割領域の幅が
１０〜２００μｍ程度になるように、分割することが好ましいものである。
【００２５】
本願発明の磁気式アブソリュートエンコーダー実装時、磁気抵抗効果型磁気センサーの
感磁部に加わる磁気媒体からの磁界強度が、信号ピッチ領域での磁界強度ｆとｎ分割領域
での磁界強度ｇで、磁界強度比ｇ／ｆが１／２以下であることが好ましい。
【００２６】
ｎ分割領域の幅を変えて磁界強度を変える方法の他に、着磁用磁気ヘッドのコイルに流
す電流値を変える方法も採用することができる。着磁時の電流値を変えることで、ｎ分割
領域の幅を大きく取ることも可能となる。ｎ分割領域を小さな着磁電流で着磁を行うと発
生する磁界も弱くなり、磁気センサーの感磁部で検知できなくなるので、ノイズとなるこ
とはない。
【００２７】
ｎ分割領域の磁界強度ｇが信号ピッチ領域の磁界強度ｆの１／２以下であれば磁気セン
サーがｎ分割領域の磁界によって発生する出力波形は、信号ピッチ領域で発生する出力波
形よりも十分小さくなる。ｎ分割領域での出力波形よりも大きく信号ピッチ領域での出力
波形よりも小さい、符号化比較電圧と比較してディジタル符号化処理を行えば、所望の符
号化信号を得ることができる。ｎ分割領域の磁界強度ｇが大き過ぎると、符号化比較電圧
の設定が困難となるだけではなく、誤検出の危険性が大きくなる。
【００２８】
磁気センサー出力を符号化信号波形に変換するときに必要なクロック信号は、磁気媒体
の移動方向に配されたアブソリュートパターン着磁と平行にインクリメントパターン着磁
を行い、着磁パターンからの漏れ磁界をインクリメント用の磁気センサーでクロック信号
に変換することで得られる。磁気媒体にアブソリュートパターンとインクリメントパター
ンが一体に描かれ、一体となったアブソリュート用とインクリメント用の磁気センサーで
検出するので、アブソリュート信号とインクリメント信号に時間的な誤差が生じることは
ない。そのため、磁気媒体と磁気センサーの相対移動速度が変化する様な状況でも使用す
ることができる。しかし、インクリメント信号を得るため、磁気媒体と磁気センサーを大
きくする必要が有る。磁気媒体と磁気センサーの相対移動速度が一定である場合しか採用
できないと言う制約はあるが、クロック信号を電気回路で作ることもできる。電気回路で
作ることで、磁気媒体や磁気センサーの大きさを小さく出来ると言う利点がある。
【００２９】
磁気媒体は、非磁性の基体に硬磁性材料を付加した例えば、アルミニウム製のドラムに
ハードフェライト粉末を塗布した磁気ドラムや、樹脂テープや非磁性金属にハードフェラ
イト粉末を塗布した磁気スケールがある。もしくは、非磁性の基体を用いない永久磁石そ
のものや、プラスチックやゴムに磁性粉末を混練して成型したものを用いることができる
。
【発明の効果】
【００３０】
隣り合う信号ピッチ領域の着磁方向は互いに逆方向であり、無信号ピッチ領域はｎ分割
され、着磁方向が互いに逆方向であるｎ分割領域とすることで、信号ピッチ領域に隣接す
るｎ分割領域がピン止め着磁として働き、信号ピッチ領域の磁界分布がいびつになること
を防ぐことができる。信号ピッチ領域の移動方向全域を着磁することで、発生磁界強度を
大きくすることができ、磁気媒体と磁気センサーの間隔を大きくすることができる。また
、無信号ピッチ領域をｎ分割して着磁したｎ分割領域とすることで、磁気媒体の無着磁の
領域を無くすことができ、磁気媒体の不必要な磁化を防ぎ、高精度で高信頼性の磁気式ア
ブソリュートエンコーダーが得られた。
【発明を実施するための最良の形態】
【００３１】
以下本発明を図面を参照しながら実施例に基づいて詳細に説明する。説明を判り易くす
るため、同一の部品、部位には同じ符号を用いている。
【実施例１】
【００３２】
図１に、磁気媒体１１に着磁された信号ピッチ領域２と無信号ピッチ領域５の一部を示
す。着磁は、Ф６５．２ｍｍの磁気ドラムの外周方向に５１２パルス（信号ピッチ領域と
無信号ピッチ領域の合計数）となるように、信号ピッチ領域の媒体移動方向長さＬ１と無
信号ピッチ領域の媒体移動方向長さＬ０は４００μｍとした。磁気媒体１１の着磁は、リ
ング型磁気ヘッドを磁気ドラムに接触させ、リング型磁気ヘッドのコイルに相対移動距離
に応じて所定方向に電流を流し、信号ピッチ領域２とｎ分割領域９は連続して着磁を行っ
た。隣り合う信号ピッチ領域２は逆方向に着磁している。無信号ピッチ領域５は移動方向
長さ方向に４等分割し１００μｍ長のｎ分割領域９とした。信号ピッチ領域２と隣接する
ｎ分割領域９ａは信号ピッチ領域２と逆方向になるように着磁し、ｎ分割領域の９ａから
９ｄも隣接する領域は逆方向になるように着磁した。着磁磁界を発生するリング型磁気ヘ
ッドのコイルに流す電流は、信号ピッチ領域に対してｎ分割領域は半分の値とした。着磁
の長さが１／４で着磁磁界を１／２としたので、磁気抵抗効果型磁気センサーの感磁部に
加わるｎ分割領域の磁界強度は、信号ピッチ領域の１／２０程度となった。
【００３３】
図２に、連続した６ヶの着磁ピッチ領域２の出力電圧と符号化信号波形を示す。図２の
詳細説明の前に、図３を用いて、磁気式アブソリュートエンコーダー１の磁気媒体と磁気
センサーについて述べる。回転する磁気媒体１１（本実施例では、磁気ドラムである）に
所定の間隔を持って対向して磁気センサー２０を配している。本実施例では、磁気媒体１
１面と磁気センサー２０の磁気抵抗効果型センサー素子２２のとの間隔（ギャップ）は２
５０μｍとした。磁気媒体１１は、円周方向に信号ピッチ領域と無信号ピッチ領域が混在
する信号領域１２と、並んで円周方向に比較領域１３を形成した。磁気センサー２０は複
数の磁気センサー素子２１からなり、磁気センサー素子２１は、磁界により抵抗が変化す
る磁気抵抗効果型センサー素子２２と、磁気抵抗効果型センサー素子２２に磁界が印加さ
れていない時の抵抗値と同等の抵抗値を有する比較抵抗素子２３が直列に接続されている
。比較抵抗素子２３の他端は接地、磁気抵抗効果型センサー素子２２の他端は電源電圧Ｖ
ｃｃに接続している。磁気抵抗効果型センサー素子２２と比較抵抗素子２３の接続点２４
から中点電位を取り、この電圧が磁気センサー２０の出力電圧となる。磁気抵抗効果型セ
ンサー素子２２は磁気媒体１１の信号領域１２と、比較抵抗素子２３は比較領域１２と対
向している。磁気抵抗効果型センサー素子２２と比較抵抗素子２３は、同一組成のパーマ
ロイ（Ｎｉ−Ｆｅ合金）を用いた。比較抵抗素子２３には磁界が印加されないので抵抗は
一定であり、磁気抵抗効果型センサー素子２２の比較抵抗として働く。磁気抵抗効果型セ
ンサー素子２２が磁気媒体１１の信号領域１２からの漏洩磁界を検知すると、抵抗が変化
して中間電位が変化する。この中間電位の変化を磁気媒体と磁気センサーの相対位置信号
として検出する。磁気媒体上のクロック信号用の着磁パターンと、磁気センサー素子上の
クロック信号検知素子の図示は省略している。
【００３４】
図２を示しながら、ｎ分割領域９を形成した時の磁気センサーの出力電圧と符号化信号
波形を説明する。図２ａ）は書込み符号パターン、図２ｂ）は磁気媒体上の着磁パターン
である。図２ｃ）に示すように、磁気センサー出力電圧波形は、ｎ分割領域９と隣接する
信号ピッチ領域２の出力電圧波形はｎ分割領域側に広がらず、全ての信号ピッチ領域で出
力される磁気センサー出力電圧波形の幅がほぼ同じとなった。図２ｄ）に、符号化信号波
形を示すが、全ての信号幅は略同じで、無信号ピッチ領域に符号化信号波形が掛かること
は無く、図２ｅ）に示すように、書込み符号パターンと同じ読出し符号パターンが得られ
た。ｎ分割領域を設けることで、確実なアブソリュート信号が得られた。
【実施例２】
【００３５】
４００μｍ幅の無信号ピッチ領域を５分割し、ｎ分割領域幅を変えてピン止め効果とｎ
分割領域がノイズ信号となるか否かを測定した。図４ａ）に示す様に、無信号ピッチ領域
をＷ１幅を有するｎ分割領域４個とＷ２幅を有するｎ分割領域１個に着磁した。Ｗ２幅の
ｎ分割領域をＷ１幅のｎ分割領域２個で両側から挟むように配置した。Ｗ１を５μｍから
８０μｍまで変化させ、Ｗ１幅によるピン止め効果があるか否か、またＷ２幅によるｎ分
割領域が閾値（符号化信号電圧）以上の出力で、ノイズレベルにあるか否かを評価した。
ｍ系列パターンで着磁したので、信号ピッチ領域と無信号ピッチ領域の数は略同じである
。着磁磁界を発生するリング型磁気ヘッドのコイルに流す電流は、信号ピッチ領域に対し
ｎ分割領域は半値で着磁した。書込み符号パターンと読出し符号パターンを比較し、１パ
ターンでも違いがあれば、Ｗ１のピン止め効果の有無もしくは、Ｗ２の出力がノイズレベ
ルに有る無しの判断を行った。
【００３６】
図４ｂ）に、ｎ分割領域幅を変えた時のピン止め効果とノイズレベルの測定結果を示す
。試料＃１のＷ１が５μｍではピン止め効果は得られないが、Ｗ１が１０μｍ以上あれば
ピン止め効果が得られることが確認できた。また、Ｗ２が２４０μｍ（試料＃５）では出
力がノイズレベル以上であるが、２００μｍ（試料＃６）では出力がノイズレベル以下と
なっている。試料＃９は、Ｗ１＝Ｗ２で５等分割したものである。図４ｂ）の結果から、
無信号ピッチ領域を２等分割した場合、ｎ分割領域幅は２００μｍとなりピン止め効果が
得られ出力はノイズレベル以下、４０等分割した場合はｎ分割領域幅は１０μｍ、これも
ピン止め効果が得られ出力もノイズレベル以下となると考えられる。
【実施例３】
【００３７】
実施例１の磁気媒体を用いて、スクリュードライバーテストを行った。比較のため無信
号ピッチ領域を無着磁とした磁気媒体を準備した。磁気媒体上に無作為に選んだ３０箇所
に市販のスクリュードライバーの鉄製円柱部を軽く接触させた後、無信号ピッチ領域から
閾値（符号化信号電圧）以上のノイズレベル出力があるか否かを測定した。ノイズレベル
出力の有無は書込み符号パターンと読出し符号パターンの異なる部位の有無で評価した。
実施例１の磁気媒体ではノイズレベル以上の出力はなかったが、比較用磁気媒体ではノイ
ズレベル以上の出力箇所が１個見つかった。このことから、着磁したｎ分割領域を持つ本
願発明の磁気媒体を用いた磁気式アブソリュートエンコーダーは、外部からの影響を受け
難く信頼性の高いものであることが確認できた。
【図面の簡単な説明】
【００３８】
【図１】本願発明の第１の実施例の着磁パターンを説明する図である。
【図２】本願発明の第１の実施例の着磁パターンや磁気センサー出力等を説明する図である。
【図３】本願発明の磁気式アブソリュートエンコーダーの、磁気媒体と磁気センサーを説明する図である。
【図４】本願発明の第２の実施例の着磁パターンとピン止め着磁効果、ノイズレベル出力の測定結果を示す図である。
【図５】従来の信号ピッチ領域の信号用着磁領域の幅を小さくした、着磁パターンを説明する図である。
【図６】従来の信号ピッチ領域の不連続部分で磁界方向を反転させる、着磁パターンを説明する図である。
【図７】従来の隣接する全ての信号ピッチ領域の信号用着磁領域の磁界方向が逆になる、着磁パターンを説明する図である。
【図８】従来の信号ピッチ領域が６ヶ連続した状態での、着磁パターンや磁気センサー出力等を説明する図である。
【図９】従来のピン止め着磁領域を設けた、着磁パターンを説明する図である。
【符号の説明】
【００３９】
１  磁気式アブソリュートエンコーダー、２  信号ピッチ領域、
３  信号用着磁領域、４  信号用無着磁領域、
５  無信号ピッチ領域、６  ピン止め着磁領域、
９  ｎ分割領域、１１  磁気媒体、
１２  信号領域、１３  比較領域、
２０  磁気センサー、２１  磁気センサー素子、
２２  磁気抵抗効果型センサー素子、２３  比較抵抗素子、
２４  接続点。
【図１】
2007256085.tif 000003
【図２】
2007256085.tif 000004
【図３】
2007256085.tif 000005
【図４】
2007256085.tif 000006
【図５】
2007256085.tif 000007
【図６】
2007256085.tif 000008
【図７】
2007256085.tif 000009
【図８】
2007256085.tif 000010
【図９】
2007256085.tif 000011